【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
第１の色材と、前記第１の色材の色と補色関係にある色相を有する第２の色材と、を少なくとも含む複数の色材を用いて記録媒体上に画像を記録するために、前記画像に対応する画像データを処理する画像処理装置であって、
前記画像データを取得する取得手段と、
前記画像データを前記複数の色材に対応する色材データに変換する変換手段と、
前記色材データを量子化し、前記複数の色材の記録に用いる記録データを生成する生成手段と、を有し、
前記変換手段は、前記取得手段が無彩色であり、且つ、色再現のための階調範囲の中間の階調以下の階調を有する色を示す前記画像データを取得した場合、前記第１の色材の記録量と前記第２の色材の記録量が前記複数の色材のうちの前記第１、第２の色材と異なる色材の記録量よりも多くなるように、前記画像データを前記色材データに変換し、
前記生成手段は、前記記録データによって前記第１の色材の記録が定められる画素と前記第２の色材の記録が定められる画素が互いに異なる位置となるように、前記記録データを生成することを特徴とする画像処理装置。
【請求項２】
前記生成手段は、前記記録データによって前記第１の色材の記録が定められる画素と前記第２の色材の記録が定められる画素が互いに排他的な位置となるように、前記記録データを生成することを特徴とする請求項１に記載の画像処理装置。
【請求項３】
前記生成手段は、前記第１の色材に対応する色材データと、各画素に対して色材の記録または非記録を定めるための閾値が定められた第１の閾値マトリクスと、に基づいて、前記第１の色材に対応する記録データを生成し、前記第２の色材に対応する色材データと、各画素に対して色材の記録または非記録を定めるための閾値が定められた第２の閾値マトリクスと、に基づいて、前記第２の色材に対応する記録データを生成することを特徴とする請求項１または２に記載の画像処理装置。
【請求項４】
前記第１の閾値マトリクスと前記第２の閾値マトリクスにおいて、それぞれ対応する画素に定められた閾値の和は、互いに同じ値であることを特徴とする請求項３に記載の画像処理装置。
【請求項５】
前記複数の色材は、前記第１、第２の色材よりも低い明度を有する第３の色材を更に含み、
前記生成手段は、前記第３の色材に対応する色材データと、前記第１の閾値マトリクスと、のみに基づいて、前記第３の色材に対応する記録データを生成し、前記第１の色材に対応する色材データと、前記第１の閾値マトリクスと、前記第３の色材に対応する色材データと、に基づいて、前記第１の色材に対応する記録データを生成することを特徴とする請求項３または４に記載の画像処理装置。
【請求項６】
前記生成手段は、各画素について、前記第３の色材に対応する色材データが示す値だけ前記第１の閾値マトリクス内の閾値をオフセットし、前記第１の色材に対応する色材データと、オフセット後の前記第１の閾値マトリクスと、に基づいて前記第１の色材に対応する記録データを生成することを特徴とする請求項５に記載の画像処理装置。
【請求項７】
前記複数の色材は、前記第１、第２の色材よりも低い明度を有する第４の色材と、前記第１、第２、第３、第４の色材よりも低い明度を有する第５の色材と、を更に含み、
前記生成手段は、前記第５の色材に対応する色材データと、各画素に対して色材の記録または非記録を定めるための閾値が定められた第３の閾値マトリクスと、のみに基づいて、前記第５の色材に対応する記録データを生成し、前記第４の色材に対応する色材データと、前記第３の閾値マトリクスと、前記第５の色材に対応する色材データと、に基づいて、前記第４の色材に対応する記録データを生成することを特徴とする請求項５または６に記載の画像処理装置。
【請求項８】
前記生成手段は、各画素について、前記第５の色材に対応する色材データが示す値だけ前記第３の閾値マトリクス内の閾値をオフセットし、前記第４の色材に対応する色材データと、オフセット後の前記第３の閾値マトリクスと、に基づいて前記第４の色材に対応する記録データを生成することを特徴とする請求項７に記載の画像処理装置。
【請求項９】
前記第１の閾値マトリクスと前記第３の閾値マトリクスは、所定の閾値よりも小さい閾値が定められた画素が互いに異なる位置となるように、各画素に対する閾値が定められていることを特徴とする請求項７または８に記載の画像処理装置。
【請求項１０】
前記第１の閾値マトリクスと前記第３の閾値マトリクスは、それぞれブルーノイズ特性を有することを特徴とする請求項７から９のいずれか１項に記載の画像処理装置。
【請求項１１】
前記第１の色材の色と前記第２の色のうち、一方はイエロー、他方はライトブルーであり、前記第５の色材の色はブラックであり、前記第３の色と前記第４の色のうち、一方はシアン、他方はマゼンタであることを特徴とする請求項７から１０のいずれか１項に記載の画像処理装置。
【請求項１２】
前記複数の色材それぞれは、インクに含有されていることを特徴とする請求項１から１１のいずれか１項に記載の画像処理装置。
【請求項１３】
前記複数の色材を含有する複数のインクを吐出するための記録ヘッドを更に有することを特徴とする請求項１２に記載の画像処理装置。
【請求項１４】
第１の色材と、前記第１の色材の色と補色関係にある色相を有する第２の色材と、を少なくとも含む複数の色材を用いて記録媒体上に画像を記録するために、前記画像に対応する画像データを処理する画像処理装置であって、
前記画像データを取得する取得手段と、
前記画像データを前記複数の色材に対応する色材データに変換する変換手段と、
各画素に対する色材の記録または非記録を定めるための閾値が定められた閾値マトリクスを用いて前記色材データを量子化し、前記複数の色材の記録に用いる記録データを生成する生成手段と、を有し、
前記変換手段は、前記取得手段が無彩色であり、且つ、色再現のための階調範囲の中間の階調以下の階調を有する色を示す前記画像データを取得した場合、前記第１の色材の記録量と前記第２の色材の記録量が前記複数の色材のうちの前記第１、第２の色材と異なる色材の記録量よりも多くなるように、前記画像データを前記色材データに変換し、
前記生成手段は、前記第１の色材に対応する色材データと、各画素に対して色材の記録または非記録を定めるための閾値が定められた第１の閾値マトリクスと、に基づいて、前記第１の色材に対応する記録データを生成し、前記第２の色材に対応する色材データと、各画素に対して色材の記録または非記録を定めるための閾値が定められた第２の閾値マトリクスと、に基づいて、前記第２の色材に対応する記録データを生成し、
前記第１の閾値マトリクスと前記第２の閾値マトリクスにおいて、それぞれ対応する画素に定められた閾値の和は、互いに同じ値であることを特徴とする画像処理装置。
【請求項１５】
前記複数の色材は、前記第１、第２の色材よりも低い明度を有する第３の色材を更に含み、
前記生成手段は、前記第３の色材に対応する色材データと、前記第１の閾値マトリクスと、のみに基づいて、前記第３の色材に対応する記録データを生成し、前記第１の色材に対応する色材データと、前記第１の閾値マトリクスと、前記第３の色材に対応する色材データと、に基づいて、前記第１の色材に対応する記録データを生成することを特徴とする請求項１４に記載の画像処理装置。
【請求項１６】
前記生成手段は、各画素について、前記第３の色材に対応する色材データが示す値だけ前記第１の閾値マトリクス内の閾値をオフセットし、前記第１の色材に対応する色材データと、オフセット後の前記第１の閾値マトリクスと、に基づいて前記第１の色材に対応する記録データを生成することを特徴とする請求項１５に記載の画像処理装置。
【請求項１７】
前記第１の色材の色と前記第２の色のうち、一方はイエロー、他方はライトブルーであり、前記第３の色はシアン、マゼンタのいずれかであることを特徴とする請求項１５または１６のいずれか１項に記載の画像処理装置。
【請求項１８】
イエローインクとライトブルーインクを少なくとも含む複数のインクを用いて記録媒体上に画像を記録するために、前記画像に対応する画像データを処理する画像処理装置であって、
前記画像データを取得する取得手段と、
前記画像データを前記複数のインクに対応するインクデータに変換する変換手段と、
前記インクデータを量子化し、前記複数のインクの記録に用いる記録データを生成する生成手段と、を有し、
前記生成手段は、前記記録データによって前記イエローインクの記録が定められる画素と前記ライトブルーインクの記録が定められる画素が互いに異なる位置となるように、前記記録データを生成することを特徴とする画像処理装置。
【請求項１９】
イエローインクとライトブルーインクを少なくとも含む複数のインクを用いて記録媒体上に画像を記録するために、前記画像に対応する画像データを処理する画像処理装置であって、
前記画像データを取得する取得手段と、
前記画像データを前記複数のインクに対応するインクデータに変換する変換手段と、
各画素に対するインクの記録または非記録を定めるための閾値が定められた閾値マトリクスを用いて前記インクデータを量子化し、前記複数のインクの記録に用いる記録データを生成する生成手段と、を有し、
前記生成手段は、前記イエローインクに対応するインクデータと、各画素に対してインクの記録または非記録を定めるための閾値が定められた第１の閾値マトリクスと、に基づいて、前記イエローインクに対応する記録データを生成し、前記ライトブルーインクに対応するインクデータと、各画素に対してインクの記録または非記録を定めるための閾値が定められた第２の閾値マトリクスと、に基づいて、前記ライトブルーインクに対応する記録データを生成し、
前記第１の閾値マトリクスと前記第２の閾値マトリクスにおいて、それぞれ対応する画素に定められた閾値の和は、互いに同じ値であることを特徴とする画像処理装置。
【請求項２０】
前記複数のインクは、マゼンタインクを更に含み、
前記生成手段は、前記マゼンタインクに対応するインクデータと、前記第１の閾値マトリクスと、のみに基づいて、前記マゼンタインクに対応する記録データを生成し、前記イエローインクに対応するインクデータと、前記第１の閾値マトリクスと、前記マゼンタインクに対応するインクデータと、に基づいて、前記イエローインクに対応する記録データを生成することを特徴とする請求項１９に記載の画像処理装置。
【請求項２１】
第１の色材と、前記第１の色材の色と補色関係にある色相を有する第２の色材と、を少なくとも含む複数の色材を用いて記録媒体上に画像を記録するために、前記画像に対応する画像データを処理する画像処理方法であって、
前記画像データを取得する取得工程と、
前記画像データを前記複数の色材に対応する色材データに変換する変換工程と、
前記色材データを量子化し、前記複数の色材の記録に用いる記録データを生成する生成工程と、を有し、
前記変換工程において、前記取得工程において無彩色であり、且つ、色再現のための階調範囲の中間の階調以下の階調を有する色を示す前記画像データを取得した場合、前記第１の色材の記録量と前記第２の色材の記録量が前記複数の色材のうちの前記第１、第２の色材と異なる色材の記録量よりも多くなるように、前記画像データを前記色材データに変換し、
前記生成工程において、前記記録データによって前記第１の色材の記録が定められる画素と前記第２の色材の記録が定められる画素が互いに異なる位置となるように、前記記録データを生成することを特徴とする画像処理方法。
【請求項２２】
第１の色材と、前記第１の色材の色と補色関係にある色相を有する第２の色材と、を少なくとも含む複数の色材を用いて記録媒体上に画像を記録するために、前記画像に対応する画像データを処理する画像処理方法であって、
前記画像データを取得する取得工程と、
前記画像データを前記複数の色材に対応する色材データに変換する変換工程と、
各画素に対する色材の記録または非記録を定めるための閾値が定められた閾値マトリクスを用いて前記色材データを量子化し、前記複数の色材の記録に用いる記録データを生成する生成工程と、を有し、
前記変換工程において、前記取得工程において無彩色であり、且つ、色再現のための階調範囲の中間の階調以下の階調を有する色を示す前記画像データを取得した場合、前記第１の色材の記録量と前記第２の色材の記録量が前記複数の色材のうちの前記第１、第２の色材と異なる色材の記録量よりも多くなるように、前記画像データを前記色材データに変換し、
前記生成工程において、前記第１の色材に対応する色材データと、各画素に対して色材の記録または非記録を定めるための閾値が定められた第１の閾値マトリクスと、に基づいて、前記第１の色材に対応する記録データを生成し、前記第２の色材に対応する色材データと、各画素に対して色材の記録または非記録を定めるための閾値が定められた第２の閾値マトリクスと、に基づいて、前記第２の色材に対応する記録データを生成し、
前記第１の閾値マトリクスと前記第２の閾値マトリクスにおいて、それぞれ対応する画素に定められた閾値の和は、互いに同じ値であることを特徴とする画像処理方法。